(57)【要約】【課題】配線用ボックスにボックスカバーが取り付けられた状態で、建物内の構築物に対して配線用ボックスを傾くことなく固定することができる配線用ボックス装置及び配線用ボックスを提供する。【解決手段】ボックス本体１２の側壁１６には係合突起１９及び突条２０が形成されている。そして、配線用ボックス１３に対するボックスカバー１４の取付状態で、ボックスカバー１４の当接面２３ａと係合突起１９及び突条２０の高さが同じに形成されている。そして、配線用ボックス装置１１を柱２８に固定したとき、当接面２３ａ、係合突起１９及び端面２０ａが柱２８に当接して配線用ボックス１３の傾きが防止される。【選択図】図５
2007195399.tif 000002
【特許請求の範囲】
【請求項１】
開口を有する有底箱状をなす配線用ボックスと、
前記配線用ボックスの開口側に取り付けられた状態で、側縁部が配線用ボックスの側壁の外面より外方へ突出するように形成されたボックスカバーと
よりなり、前記配線用ボックスは、前記側壁外面より外方に向けて突出し、前記ボックスカバーが取り付けられた状態で、当該ボックスカバーの側縁部とともに建物の構築物に当接して、当該配線用ボックスを構築物に対して傾くことなく固定可能とする傾き防止機能を有する突出部を備えていることを特徴とする配線用ボックス装置。
【請求項２】
前記突出部を、前記配線用ボックスの各側壁にその外面よりそれぞれ外方に向けて突出するように形成したことを特徴とする請求項１に記載の配線用ボックス装置。
【請求項３】
前記突出部を、構築物に対して少なくとも三箇所で当接するように形成したことを特徴とする請求項２に記載の配線用ボックス装置。
【請求項４】
開口を有する有底箱状をなすボックス本体を備えた配線用ボックスであって、
前記ボックス本体は、側壁外面から外方へ突出して形成される突出部を備え、当該突出部は、ボックス本体にボックスカバーが取り付けられた状態及び取り付けられていない状態のいずれにおいても建物の構築物に当接して前記ボックス本体を構築物に対して傾くことなく固定可能とする傾き防止機能を有するとともに、当該ボックス本体が前記構築物に固定された状態で、前記構築物の外面と前記ボックス本体の側壁の外面との間に間隙を形成させ、ボックス本体の開口側に取り付けられるボックスカバーの側縁部を受容する受容空間を形成する受容空間形成機能を有することを特徴とする配線用ボックス。
【請求項５】
開口を有する有底箱状をなすボックス本体を備えた配線用ボックスであって、
前記ボックス本体は、各側壁にその外面よりそれぞれ外方へ突出して形成される突出部を備え、当該突出部は、前記ボックス本体の開口側に取り付けられたボックスカバーの側縁部とともに建物の構築物に当接して当該ボックス本体を構築物に対して傾くことなく固定可能とする傾き防止機能を有することを特徴とする配線用ボックス。
【請求項６】
前記突出部を、構築物に対して少なくとも三箇所で当接するように形成したことを特徴とする請求項４または請求項５に記載の配線用ボックス。
【請求項７】
前記突出部は、各側壁の開口側に一対の突出部が形成され、各側壁の開口側より底壁側に後退した位置に他の突出部が形成されて、ボックス本体にボックスカバーが取り付けられていない状態においても、前記構築物に当接することによりボックス本体を構築物に対して傾くことなく固定可能とする傾き防止機能を有していることを特徴とする請求項４〜請求項６のいずれか一項に記載の配線用ボックス。
【請求項８】
前記一対の突出部は、ボックスカバーが係合するように形成されていることを特徴とする請求項７に記載の配線用ボックス。
【発明の詳細な説明】
【技術分野】
【０００１】
本発明は、例えば建物内の壁面に配線器具を取り付けるために使用される配線用ボックスと、その配線用ボックスに取り付けられるボックスカバーとよりなる配線用ボックス装置及び配線用ボックスに関するものである。
【背景技術】
【０００２】
従来より、建物内の壁面に配線器具を取り付けるために配線用ボックスと、その配線用ボックスに取り付けられるボックスカバーとよりなる配線用ボックス装置が使用されている。合成樹脂材料製の前記配線用ボックスは、四角板状の底壁と、その底壁の四側周縁に立設された側壁とにより前面に開口を有する有底四角箱状に形成されたボックス本体よりなり、同ボックス本体の内部に配線器具を収容可能に形成されている。このボックス本体の相対向する一対の側壁の内面には配線用ボックスにボックスカバーを取り付けるためのボス部が形成され、各ボス部にはビスを螺合可能とするビス孔が形成されている。
【０００３】
前記ボックスカバーは、略四角枠状をなし、前記ボックス本体の開口を被覆可能な大きさに形成されたカバー本体を備え、そのカバー本体の中央部には配線器具を取付可能とする取付部が形成されている。また、カバー本体には挿通孔が形成され、その挿通孔から前記ビス孔にビスを挿通、螺合することにより、ボックスカバーを配線用ボックスに取り付けることができる。
【０００４】
上記ボックスカバーは、配線用ボックスに取り付けられ、コンクリート壁を形成すべくコンクリートに埋設されたとき（なお、このとき、コンクリート壁形成用の型枠の裏面にボックスカバーの取付部端面は圧接されている。）、コンクリートの配線用ボックス内への侵入を防止すべく配線用ボックスの開口全体を覆う大きさに形成されている。即ち、ボックスカバーの正面視における外形形状は、配線用ボックスの正面視における外形形状より大きく形成されている。
【０００５】
また、配線用ボックスのみをコンクリート壁に埋設した後に、当該配線用ボックスにボックスカバーを介して配線器具を取り付ける場合、配線用ボックスの正面視において、配線用ボックスの開口が傾いてコンクリート壁に埋設されている場合がある。
【０００６】
このとき、その配線用ボックスに対して配線器具が傾いて取り付けられる不具合を防止するため、ボックスカバーをコンクリート壁面に沿って回転させ、配線用ボックスに対する取付角度を調節して取り付けることができるように形成されている。即ち、ボックスカバーは、配線用ボックスに対して傾いて取り付けられても、配線用ボックスの開口を被覆することができるように、ボックスカバーの正面視における外形形状が、配線用ボックスの正面視における外形形状より大きく形成されている。
【発明の開示】
【発明が解決しようとする課題】
【０００７】
ところが、ボックスカバーが配線用ボックスより大きく形成されていると、ボックスカバーの配線用ボックスに対する取付状態において、ボックスカバーの側縁部が配線用ボックスの側壁外面より外方へ突出してしまう。そのため、配線用ボックスの開口側にボックスカバーを取り付けた状態で、その配線用ボックスを例えば柱に固定した場合、ボックスカバーの側縁部と配線用ボックスの側壁の外面との間において高さのずれが生じ段差が形成されてしまう。
【０００８】
従って、前記段差により配線用ボックスが底壁側へ傾いて柱に固定され、その配線用ボックスに取り付けられた配線器具が傾いてしまい、配線器具を壁面の正面に取り付けることができないという問題があった。さらには、配線用ボックスを柱に固定することができなくなるという問題もあった。
【０００９】
また、配線用ボックスを柱に固定した後、その配線用ボックスにボックスカバーを取り付ける場合は、配線用ボックスに取り付けられるボックスカバーの前面が柱の前面と略面一となるようにするため、配線用ボックスはその前面が柱の前面より後退した位置で柱に固定される。そして、ボックスカバーを配線用ボックスに取り付けようとした場合、ボックスカバーの外形形状は配線用ボックスの開口側の外形形状より大きいため、ボックスカバーの側縁部が柱に突き当たってしまう。そのため、柱を削って前記側縁部の受容空間を形成しなければならず非常に煩雑であるという問題があった。
【００１０】
本発明は、上記従来技術に存在する問題点に着目してなされたものである。その目的とするところは、配線用ボックスにボックスカバーが取り付けられた状態で、建物内の構築物に対して配線用ボックスを傾くことなく固定することができる配線用ボックス装置及び配線用ボックスを提供する。その他の目的とするところは、配線用ボックスにボックスカバーが取り付けられた状態及び取り付けられていない状態のいずれにおいても建物内の構築物に対して配線用ボックスを傾くことなく固定することができるとともに、構築物に固定された配線用ボックスに対してボックスカバーを容易に取り付けることができる配線用ボックス装置及び配線用ボックスを提供することにある。
【課題を解決するための手段】
【００１１】
上記問題点を解決するために、請求項１に記載の発明は、開口を有する有底箱状をなす配線用ボックスと、前記配線用ボックスの開口側に取り付けられた状態で、側縁部が配線用ボックスの側壁の外面より外方へ突出するように形成されたボックスカバーとよりなり、前記配線用ボックスは、前記側壁外面より外方に向けて突出し、前記ボックスカバーが取り付けられた状態で、当該ボックスカバーの側縁部とともに建物の構築物に当接して、当該配線用ボックスを構築物に対して傾くことなく固定可能とする傾き防止機能を有する突出部を備えていることを要旨とする。
【００１２】
請求項２に記載の発明は、請求項１に記載の配線用ボックス装置において、前記突出部を、前記配線用ボックスの各側壁にその外面よりそれぞれ外方に向けて突出するように形成したことを要旨とする。
【００１３】
請求項３に記載の発明は、請求項２に記載の配線用ボックス装置において、前記突出部を、構築物に対して少なくとも三箇所で当接するように形成したことを要旨とする。
請求項４に記載の発明は、開口を有する有底箱状をなすボックス本体を備えた配線用ボックスであって、前記ボックス本体は、側壁外面から外方へ突出して形成される突出部を備え、当該突出部は、ボックス本体にボックスカバーが取り付けられた状態及び取り付けられていない状態のいずれにおいても建物の構築物に当接して前記ボックス本体を構築物に対して傾くことなく固定可能とする傾き防止機能を有するとともに、当該ボックス本体が前記構築物に固定された状態で、前記構築物の外面と前記ボックス本体の側壁の外面との間に間隙を形成させ、ボックス本体の開口側に取り付けられるボックスカバーの側縁部を受容する受容空間を形成する受容空間形成機能を有することを要旨とする。
【００１４】
請求項５に記載の発明は、開口を有する有底箱状をなすボックス本体を備えた配線用ボックスであって、前記ボックス本体は、各側壁にその外面よりそれぞれ外方へ突出して形成される突出部を備え、当該突出部は、前記ボックス本体の開口側に取り付けられたボックスカバーの側縁部とともに建物の構築物に当接して当該ボックス本体を構築物に対して傾くことなく固定可能とする傾き防止機能を有することを要旨とする。
【００１５】
請求項６に記載の発明は、請求項４または請求項５に記載の配線用ボックスにおいて、前記突出部を、構築物に対して少なくとも三箇所で当接するように形成したことを要旨とする。
【００１６】
請求項７に記載の発明は、請求項４〜請求項６のいずれか一項に記載の配線用ボックスにおいて、前記突出部は、各側壁の開口側に一対の突出部が形成され、各側壁の開口側より底壁側に後退した位置に他の突出部が形成されて、ボックス本体にボックスカバーが取り付けられていない状態においても、前記構築物に当接することによりボックス本体を構築物に対して傾くことなく固定可能とする傾き防止機能を有していることを要旨とする。
【００１７】
請求項８に記載の発明は、請求項７に記載の配線用ボックスにおいて、前記一対の突出部は、ボックスカバーが係合するように形成されていることを要旨とする。
【発明の効果】
【００１８】
以上詳述したように、請求項１に記載の発明によれば、配線用ボックスにボックスカバーが取り付けられた状態で、建物内の構築物に対して配線用ボックスを傾くことなく固定することができる。
【００１９】
請求項２に記載の発明によれば、請求項１に記載の発明の効果に加え、いずれの側壁側が建物内の構築物に取り付けられても構築物に対して配線用ボックスを傾くことなく固定することができる。
【００２０】
請求項３に記載の発明によれば、請求項２に記載の発明の効果に加え、配線用ボックスにボックスカバーが取り付けられていない状態において、配線用ボックスを安定した状態で構築物に固定することができる。
【００２１】
請求項４に記載の発明によれば、ボックス本体にボックスカバーが取り付けられた状態及び取り付けられていない状態のいずれにおいても建物内の構築物に対してボックス本体を傾くことなく固定することができるとともに、構築物に固定されたボックス本体に対してボックスカバーを容易に取り付けることができる。
【００２２】
請求項５に記載の発明によれば、いずれの側壁側が建物内の構築物に取り付けられても構築物に対してボックス本体を傾くことなく固定することができる。
請求項６に記載の発明によれば、請求項４または請求項５に記載の発明の効果に加え、配線用ボックスにボックスカバーが取り付けられた状態及び取り付けられていない状態において、配線用ボックスを安定した状態で構築物に固定することができる。
【００２３】
請求項７に記載の発明によれば、請求項４〜請求項６のいずれか一項に記載の発明の効果に加え、配線用ボックスを構築物に対して安定した状態で固定することができる。
請求項８に記載の発明によれば、一対の突出部との係合によりボックスカバーを容易に取り付けることができる。
【発明を実施するための最良の形態】
【００２４】
以下、本発明を具体化した配線用ボックス装置及び配線用ボックスの一実施形態を図１〜図６に従って説明する。図１に示すように、配線用ボックス装置１１は、開口を有する有底四角箱状をなす配線用ボックス１３と、同配線用ボックス１３の開口側に取り付けられるボックスカバー１４とより形成されている。
【００２５】
まず、前記配線用ボックス１３について説明すると、図１に示すように、合成樹脂材料製の前記配線用ボックス１３は四角板状をなす底壁１５と、その底壁１５の周縁に立設された側壁１６とより開口を有する有底四角箱状に形成されたボックス本体１２より形成されている。
【００２６】
図１において、左右に相対向する一対の側壁１６の内面において、ボックス本体１２の開口側にはそれぞれボス部１７が突設され、各ボス部１７にはそれぞれナット（図示せず）が埋設されているとともに、当該ナットにビス（図示せず）を螺合可能とするビス孔１７ａが形成されている。図１及び図２に示すように、各側壁１６の両端側外面において、ボックス本体１２の開口側にはそれぞれ突出部としての係合突起１９が突設されている。係合突起１９はそれぞれ側壁１６の長さ方向に沿って延びるように形成され、平面細長形状に形成されている。
【００２７】
各側壁１６の中央部には、同側壁１６の幅方向へ直線状に延びる平面細長形状をなす突出部としての突条２０が外方へ突設され、各突条２０の端面２０ａは平面状に形成されている。各突条２０の突出長さ、具体的には各突条２０の側壁１６外面から端面２０ａまでの長さは、同一側壁１６に形成された係合突起１９の突出長さ、即ち側壁１６の外面から係合突起１９の先端までの突出長さと同一に形成されている。
【００２８】
図２に示すように、一対の係合突起１９及び突条２０は、互いに同一突出長さを有する。そのため、係合突起１９及び突条２０を水平面に接触させて同水平面上に配線用ボックス１３を載置したとき、三箇所で水平面に接触して配線用ボックス１３のがたつきを防止するがたつき防止機能を有する。
【００２９】
また、図３に示すように、係合突起１９及び突条２０は、同一突出長さを有するため、建物内の構築物としての柱２８に対する配線用ボックス１３の取付状態で、それぞれ前記柱２８の外面に当接して当該柱２８の外面とボックス本体１２の側壁１６との間に間隙を形成する。そして、前記間隙が形成されることにより、配線用ボックス１３の開口側前面の柱２８側には受容空間Ｓが形成され、係合突起１９及び突条２０は受容空間形成機能を有している。
【００３０】
さらに、一対の係合突起１９及び突条２０は同一突出長さを有するため、配線用ボックス１３を柱２８に対して傾くことなく固定可能とする傾き防止機能を有している。
図１に示すように、各側壁１６の両側部にはそれぞれノック部１６ａに閉塞された配線貫通孔１６ｂが形成されている。そして、前記ノック部１６ａを除去することにより配線貫通孔１６ｂを開放することができるようになっている。加えて、図１において上側及び左側に位置する隣接する側壁１６には、固定部材としての固定ビス２９によりボックス本体１２を柱２８に固定するための固定孔１６ｃが形成されている。
【００３１】
上側壁１６及び左側壁１６の長さ方向における両端側に形成された各固定孔１６ｃはそれぞれ前記係合突起１９による傾き防止機能を維持し、配線用ボックス１３を柱２８に傾くことなく固定するために、係合突起１９の近傍位置に形成されている。一方、上側壁１６及び左側壁１６の長さ方向における中央部に形成された各固定孔１６ｃは突条２０による傾き防止機能を維持し、配線用ボックス１３を柱２８に傾くことなく固定するために、突条２０の近傍位置に形成されている。具体的には、固定孔１６ｃは一対の係合突起１９及び突条２０により形成される三角形の内側に位置するように形成されている。
【００３２】
次に、前記ボックスカバー１４について説明する。図１及び図４に示すように、合成樹脂材料製のボックスカバー１４はボックス本体１２の開口を被覆可能な大きさに形成されたほぼ四角枠状をなすカバー本体２３より形成されている。そのカバー本体２３の中央部には配線器具（図示せず）をボックスカバー１４から配線用ボックス１３内へ収容して取付けるための取付孔２４が形成されている。
【００３３】
さらに、カバー本体２３の表面（前面）には、前記取付孔２４から配線用ボックス１３内に収容された配線器具をカバー本体２３に取付るための取付部２４ａが取付孔２４の開口縁部に沿って外方へ突設されている。
【００３４】
また、カバー本体２３の四隅部には配線用ボックス１３にボックスカバー１４が取り付けられた状態で前記ビス孔１７ａにビス（図示せず）を挿通可能とする挿通孔２５が貫通形成されている。さらに、図４においてカバー本体２３の上下に相対向する裏面（後面）の側縁部には同カバー本体２３の側辺に沿って延びるリブ２６が形成されている。各リブ２６の内面には、突出部の一部である前記係合突起１９がそれぞれ係合可能な一対の係合溝２６ａが凹設されている。加えて、前記リブ２６が形成されたカバー本体２３の相対向する一対の側辺とは別の相対向する一対の側辺の外端面には当接面２３ａが形成されている。
【００３５】
図５に示すように、前記係合溝２６ａに係合突起１９を係合させてボックスカバー１４が配線用ボックス１３に取り付けられた状態で、当接面２３ａが形成されたカバー本体２３の一対の側縁部はボックス本体１２の側壁１６の外面より外方へ突出するように形成されている。当接面２３ａが形成された側縁部の側壁１６外面からの突出長さは、各側壁１６において、一対の係合突起１９及び突条２０の突出長さと略同一に形成されている。なお、略同一とは、配線用ボックス１３にボックスカバー１４を取り付けた状態で、その配線用ボックス１３を柱２８に固定したとき、側壁１６と柱２８の外面とがほぼ平行をなしてボックスカバー１４により配線用ボックス１３が傾かない範囲内における長さとする。
【００３６】
そのため、図５に示すように、ボックスカバー１４が取り付けられた配線用ボックス１３が柱２８に固定された状態で、係合突起１９及び突条２０はボックスカバー１４の当接面２３ａとともに柱２８に当接する。即ち、一対の係合突起１９及び突条２０は、ボックスカバー１４とともに配線用ボックス１３を柱２８に傾くことなく固定可能とする傾き防止機能を有している。加えて、当接面２３ａとともに、係合突起１９及び突条２０を水平面に接触させて同水平面上に配線用ボックス１３を載置したとき、一対の係合突起１９及び突条２０は当接面２３ａとともに水平面に接触して配線用ボックス１３のがたつきを防止するがたつき防止機能を有する。
【００３７】
さて、上記配線用ボックス装置１１の作用について説明する。
はじめに、配線用ボックス１３にボックスカバー１４を取り付けた後、その配線用ボックス１３を柱２８に固定する場合について説明する。
【００３８】
まず、ボックス本体１２の配線貫通孔１６ｂにケーブル（図示せず）を配線可能とするため、ボックス本体１２の配線貫通孔１６ｂを閉塞しているノック部１６ａを打ち抜き除去する作業を行う。図２に示すように、配線用ボックス１３にボックスカバー１４が取り付けられていない状態で配線用ボックス１３を水平面上に載置し、打ち抜くノック部１６ａを上方に臨ませる。
【００３９】
このとき、一対の係合突起１９及び突条２０のがたつき防止機能により水平面上に配線用ボックス１３ががたつくことなく安定した状態で載置される。そして、その載置状態でボックス本体１２のノック部１６ａをハンマー等の工具により叩く作業が行われ、ノック部１６ａが打ち抜き除去される。
【００４０】
次に、係合突起１９に対して係合溝２６ａを係合させて配線用ボックス１３にボックスカバー１４を取り付ける。次いで、図５に示すように、配線用ボックス装置１１のいずれか一方の側部の当接面２３ａ、係合突起１９及び端面２０ａを柱２８の外面に当接させ、図６に示すように、固定孔１６ｃから固定ビス２９を柱２８に固定して同柱２８に配線用ボックス１３を固定する。
【００４１】
このとき、図５に示すように、係合突起１９、端面２０ａ及び当接面２３ａが柱２８に当接し、前記傾き防止機能により、柱２８の外面に対して側壁１６が平行をなし、配線用ボックス１３が傾くことなく柱２８に固定される。
【００４２】
また、図６に示すように、固定ビス２９は係合突起１９及び突条２０を頂点とする三角形の内側位置から柱２８に固定される。そのため、固定ビス２９の柱２８に対する固定により側壁１６が柱２８側へ押圧されても、側壁１６と柱２８との間の間隙が係合突起１９及び突条２０により維持され、配線用ボックス１３が傾くことなく柱２８に固定される。
【００４３】
その結果、配線用ボックス１３が底壁１５側へ傾むくことなく柱２８に固定される。また、当接面２３ａ、係合突起１９及び端面２０ａはそれぞれ細長形状をなし、さらに当接面２３ａ、一対の係合突起１９及び端面２０ａの四箇所が柱２８に当接する。そのため、柱２８に対する配線用ボックス装置１１の接触面積が大きく確保され、配線用ボックス１３が安定した状態で柱２８に固定される。
【００４４】
続いて、図１及び図６に示すように、ノック部１６ａが除去された配線貫通孔１６ｂにコネクタ３０を介して電線管３１を接続し、その電線管３１内にケーブル２７を配線する。さらに、そのケーブル２７をボックス本体１２内に引き込む。このとき、図１に示すように、突条２０は側壁１６の中央部に形成され、配線貫通孔１６ｂより離れた位置に形成されているため、突条２０とコネクタ３０とが接触するのが防止される。
【００４５】
次に、配線用ボックス１３を柱２８に固定した後、その配線用ボックス１３にボックスカバー１４を取り付ける場合について説明する。
まず、上記と同様に固定孔１６ｃから固定ビス２９を柱２８に固定し、配線用ボックス１３のみを柱２８に固定する。このとき、配線用ボックス１３の柱２８に対する固定後、同配線用ボックス１３に取り付けられるボックスカバー１４の前面としての取付部２４ａの前面が柱２８の前面と面一となるように配線用ボックス１３を柱２８の前面より後退させた位置に固定する。
【００４６】
このときも、図３に示すように、同じ突出長さを有する係合突起１９及び突条２０の傾き防止機能により、配線用ボックス１３が柱２８に傾くことなく固定される。さらに、係合突起１９及び突条２０の受容空間形成機能により、柱２８の外面と同柱２８に対向する側壁１６との間に間隙が形成される。そして、前記間隙が形成されることにより、配線用ボックス１３の開口側前面の柱２８側には受容空間Ｓが形成される。
【００４７】
また、固定ビス２９は係合突起１９及び突条２０を頂点とする三角形の内側位置から柱２８に固定されるため、上記と同様に配線用ボックス１３の傾きが防止される。加えて、一対の係合突起１９及び端面２０ａはそれぞれ細長形状をなし、さらに係合突起１９及び端面２０ａの三箇所が柱２８に当接する。そのため、柱２８に対する接触面積が大きく確保され、配線用ボックス１３が安定した状態で柱２８に固定される。
【００４８】
次いで、係合突起１９に係合溝２６ａを係合させて配線用ボックス１３にボックスカバー１４を取付ける。このとき、ボックスカバー１４の一側縁部を前記受容空間Ｓへ逃げさせることができ、ボックスカバー１４の一側縁部が柱２８に突き当たることが防止される。そして、配線用ボックス１３にボックスカバー１４が取り付けられた後、一対の係合突起１９、突条２０の端面２０ａ及び当接面２３ａが柱２８に当接して、配線用ボックス装置１１が安定した状態で柱２８に固定される。
【００４９】
最後に、配線用ボックス１３の開口側に壁材（図示せず）が設置され、さらにボックスカバー１４に配線器具（図示せず）が取り付けられて壁面に配線器具が取り付けられる。
上記実施形態の配線用ボックス装置１１によれば、以下のような特徴を得ることができる。
【００５０】
（１）配線用ボックス１３にボックスカバー１４が取り付けられた状態において、係合突起１９、端面２０ａと当接面２３ａとが同じ高さで柱２８の外面に当接するため、配線用ボックス１３を傾くことなく柱２８に固定することができる。さらには、配線用ボックス１３が柱２８に固定不能になるといった不具合を防止することができる。
【００５１】
（２）配線用ボックス１３を傾くことなく柱２８に固定することができるため、その配線用ボックス１３に取り付けられる配線器具の傾きを防止することができる。また、配線用ボックス１３に対する配線器具の取付角度を調節する必要がないため、配線用ボックス装置１１を使用した配線器具の取付作業の簡易化を図ることができる。
【００５２】
（３）突条２０は一対の配線貫通孔１６ｂ間の中央に形成され、各配線貫通孔１６ｂから最も離れた位置に形成されている。そのため、配線貫通孔１６ｂにコネクタ３０を取り付けるとき、突条２０がコネクタ３０取付の障害になるのを防止してコネクタ３０の取付作業を容易に行うことができる。
【００５３】
（４）係合突起１９及び突条２０は平面視において細長形状に形成されているため、柱２８又は水平面に対して係合突起１９及び端面２０ａの接触面積を大きく確保することができる。従って、配線用ボックス１３を柱２８又は水平面に対して安定した状態で固定又は載置することができる。
【００５４】
（５）固定孔１６ｃは係合突起１９及び突条２０を頂点とする三角形の内側位置に形成されている。そのため、固定ビス２９により側壁１６が柱２８側へ押圧されたとき、係合突起１９及び突条２０により両者間の間隙を維持することができる。従って、例えば固定孔１６ｃが係合突起１９及び突条２０から離れたボックス本体１２の底壁１５側に形成された場合と異なり、固定ビス２９の柱２８に対する固定により配線用ボックス１３が傾いて固定される不具合を防止することができる。
【００５５】
（６）柱２８に当接しない別の係合突起１９に係合溝２６ａを係合することによりボックスカバー１４を配線用ボックス１３に取り付けることができる。従って、係合突起１９は、配線用ボックス１３に対するボックスカバー１４の取付機能と、突条２０との配線用ボックス１３の傾き防止機能を備え、各機能を別部材で配線用ボックス装置１１に設ける場合と比較して配線用ボックス装置１１の構成の簡易化を図ることができる。
【００５６】
（７）配線用ボックス１３にボックスカバー１４が取り付けられていない状態では、一対の係合突起１９及び突条２０の傾き防止機能により配線用ボックス１３を傾くことなく安定した状態で柱２８に固定することができる。
【００５７】
（８）係合突起１９及び突条２０のがたつき防止機能により配線用ボックス１３を安定した状態で水平面上に載置することができる。従って、水平面上に載置された配線用ボックス１３ががたつくのを防止してノック部１６ａを工具等により叩く作業を安定した状態で正確に行うことができ、ノック部１６ａを容易に打ち抜き除去することができる。
【００５８】
（９）柱２８に固定された配線用ボックス１３にボックスカバー１４を取り付けるとき、受容空間Ｓにボックスカバー１４の側縁部を逃がすことができ、ボックスカバー１４の側縁部が柱２８に突き当たるといった不具合を防止することができる。従って、カバー本体２３の側縁部を逃がすための空間を作るために柱２８を削っていた従来と異なり、ボックスカバー１４の配線用ボックス１３に対する取付作業を容易に行うことができる。
【００５９】
なお、上記実施形態は以下のように変更してもよい。
・  突条２０の代わりに円柱状、四角柱状、筒状をなす突出部を形成してもよい。
・  カバー本体２３のリブ２６及び係合溝２６ａを省略し、カバー本体２３の挿通孔２５からボックス本体１２のビス孔１７ａにビスを螺合して配線用ボックス１３にボックスカバー１４を取り付けてもよい。
【００６０】
・  実施形態では係合突起１９を突条２０と略同一の高さに形成したが、係合突起１９を突条２０より短く形成し、係合溝２６ａとの係合によるボックスカバー１４の配線用ボックス１３への取付機能だけ有するように形成し、突条２０により傾き防止機能を発揮させてもよい。
【００６１】
・  実施形態では、係合突起１９を各側壁１６の開口側端縁に形成したが、係合突起１９を底壁１５側へ後退させた位置に形成し、配線用ボックス１３を柱２８に固定したとき、配線用ボックス１３の開口側前面から底壁１５側へ後退した位置にまで受容空間Ｓを形成してもよい。このように構成した場合、例えばボックスカバー１４の裏面の側縁部の全周に亘ってリブ２６が形成されていた場合、配線用ボックス１３に取り付けられたボックスカバー１４のリブ２６を受容空間Ｓに逃がすことができる。
【００６２】
・  配線用ボックス１３にボックスカバー１４を取り付けた状態で、その配線用ボックス１３を水平面上に載置し、ノック部１６ａを叩く作業を行ってもよい。このとき、当接面２３ａ、係合突起１９の先端及び端面２０ａの四箇所が水平面に接触するため、配線用ボックス１３を安定した状態で水平面上に載置することができる。従って、水平面上に載置された配線用ボックス１３ががたつくのを防止してノック部１６ａを工具等により叩く作業を安定した状態で正確に行うことができ、ノック部１６ａを容易に打ち抜き除去することができる。
【００６３】
・  実施形態では、一対の係合突起１９及び一箇所の突条２０の三箇所により突出部を形成したが、突出部の合計数を変更してもよい。例えば、一箇所の係合突起１９及び一箇所の突条２０の二箇所により突出部を形成してもよい。このとき、係合突起１９及び突条２０をそれぞれ相対向する位置に細長形状に形成するのが好ましい。また、側壁１６に突条２０を二箇所以上に形成し、一対の係合突起１９と複数の突条２０との四箇所以上で突出部を形成してもよい。
【００６４】
・  実施形態では、全ての側壁１６に係合突起１９及び突条２０を形成したが、相対向する一対の側壁１６又は隣接する一対の側壁１６に係合突起１９及び突条２０を形成してもよい。又はいずれか一つの側壁１６に係合突起１９及び突条２０を形成してもよい。
【００６５】
・  ボックス本体１２の相対向する一対の側壁１６又は隣接する一対の側壁１６の外面に固定ビス２９を挿通可能な挿通部を形成し、その挿通部から固定ビス２９を柱２８に固定して配線用ボックス１３を柱２８に固定してもよい。このとき、挿通部が形成されていない側壁１６の係合突起１９及び突条２０とカバー本体２３の当接面２３ａ又は突条２０と係合突起１９により配線用ボックス１３の傾きが防止される。
【００６６】
・  実施形態では、各係合突起１９及び突条２０の近傍位置に固定孔１６ｃを形成したが、固定ビス２９の柱２８に対する固定により配線用ボックス１３が傾かない範囲であれば固定孔１６ｃを形成する位置を変更してもよい。
【００６７】
・  少なくとも傾き防止機能を損なわない範囲内であれば係合突起１９及び突条２０の突出長さを当接面２３ａの突出長さより長く形成してもよい。このように構成した場合、配線用ボックス１３を柱２８に固定したとき、側壁１６外面と柱２８外面との間の間隙が大きくなり、受容空間Ｓを大きく形成することができる。従って、柱２８に配線用ボックス１３を固定した後に、その配線用ボックス１３にボックスカバー１４を取り付ける作業を容易に行うことができる。
【００６８】
・  ボックスカバー１４が取り付けられた配線用ボックス１３内にドライバー等の工具を挿入可能とする挿入溝を形成してもよい。例えば、カバー本体２３の取付孔２４に連通し、同取付孔２４からカバー本体２３の側縁部方向へ延びるように挿入溝を形成してもよい。このように構成した場合、ボックスカバー１４が取り付けられた配線用ボックス１３を柱２８に固定するとき、ボックスカバー１４の表側の挿入溝からドライバーを配線用ボックス１３内に挿入し、そのドライバーにより固定ビス２９を固定孔１６ｃから柱２８に固定する作業を容易に行うことができる。
【００６９】
・  係合突起１９を省略するとともに、側壁１６の外面に一箇所又は二箇所以上に突出部を形成し、その突出部により受容空間形成機能、傾き防止機能及びがたつき防止機能を発揮させてもよい。
【００７０】
突出部としては、突条２０の代わりに側壁１６の中央部に円盤状をなす突出部を形成してもよい。また、突条２０を側壁１６の長さ方向に沿って間隔をおいて二箇所以上形成してもよく、側壁１６の幅方向へ延びる突条２０を同側壁１６の幅方向に沿って間隔を置いて二箇所以上に形成してもよい。さらに、突条２０を側壁１６の開口側縁部以外の三側縁部に沿って形成してもよい。
【００７１】
なお、突条２０の近傍位置に固定孔１６ｃを形成し、固定ビス２９を柱２８に固定したとき、固定ビス２９により配線用ボックス１３が柱２８側へ傾かないように柱２８に固定する。また、ボックスカバー１４はカバー本体２３の挿通孔２５からボックス本体１２のビス孔１７ａにビスを螺合して配線用ボックス１３に取り付ける。
【００７２】
・  配線用ボックス１３にボックスカバー１４が取り付けられていない状態において、突出部の柱２８又は水平面に対する当接では配線用ボックス１３が傾いてしまい、ボックスカバー１４の取付状態において、当接面２３ａと突出部との協働により傾き防止機能及びがたつき防止機能を発揮させてもよい。
【００７３】
具体的には、突出部として突条２０のみを側壁１６に形成し、突条２０と当接面２３ａとの協働により配線用ボックス１３を柱２８に傾くことなく固定するように形成してもよい。
【００７４】
・  実施形態では、構築物としての柱２８に配線用ボックス１３を固定したが、構築物としてＣ形鋼、Ｈ形鋼に配線用ボックス１３を固定してもよい。また、配線用ボックス１３をコンクリート壁に埋設してもよい。  
【００７５】
次に上記実施形態及び別例から把握できる技術的思想について、それらの効果とともに以下に追記する。
（１）前記突出部を細長形状に形成したことを特徴とする請求項１〜請求項３のいずれか一項に記載の配線用ボックス装置。このように構成した場合、構築物に対する突出部の接触面積を大きく確保することができる。従って、配線用ボックスを構築物に対して安定した状態で固定することができる。
【００７６】
（２）前記突出部の一部はボックスカバーに形成された係合溝に係合するように形成された係合突起であり、当該係合突起と係合溝との係合によりボックスカバーを配線用ボックスに取り付るように形成したことを特徴とする請求項１〜３のいずれか一項に記載の配線用ボックス装置。
【図面の簡単な説明】
【００７７】
【図１】実施形態の配線用ボックス装置を示す分解斜視図。
【図２】配線用ボックスを水平面上に載置した状態を示す側面図。
【図３】配線用ボックスを柱に固定した状態を示す部分断面平面図。
【図４】実施形態のボックスカバーを示す斜視図。
【図５】配線用ボックス装置を柱に固定した状態を示す部分断面平面図。
【図６】配線用ボックス装置を柱に固定した状態を示す側断面図。
【符号の説明】
【００７８】
Ｓ…受容空間、１１…配線用ボックス装置、１２…ボックス本体、１３…配線用ボックス、１４…ボックスカバー、１６…側壁、１９…突出部としての係合突起、２０…突出部としての突条、２８…構築物としての柱。
【図１】
2007195399.tif 000003
【図２】
2007195399.tif 000004
【図３】
2007195399.tif 000005
【図４】
2007195399.tif 000006
【図５】
2007195399.tif 000007
【図６】
2007195399.tif 000008